(57)【特許請求の範囲】
【請求項１】
一方の管体の受口部内に、他方の管体の挿口部を遊挿し、受口部の内周面と挿口部の外周面との間の隙間に挾入したパッキンを、挿口部に外嵌した押輪を受口部に締結することにより強圧し、双方の管体同士を接続するようにした管継手において、
前記押輪のパッキン押圧部における管頂部近傍に、挿口部と押圧部との間に形成される最大隙間をほぼ二分する厚さに形成された下片と薄肉に形成された側片とからなり、該側片が前記下片の基端から前記押圧部の端面に沿わせる形状に設けられた心出し具を備え、前記下片は挿口部の外周面に当接する下面を有し、該下面が挿口部の外周面と同じ曲率の湾曲面に形成されているとともに、該下片が前記管頂部近傍に対向する押圧部に着脱可能として設けられることを特徴とする管継手。
【請求項２】
心出し具をコ字形として、押圧部に弾性的に圧接させて取付けたことを特徴とする請求項１に記載の管継手。
【請求項３】
心出し具を、永久磁石又は永久磁石を埋設した非磁性材によりＬ字状に形成した請求項１に記載の管継手。
【請求項４】
心出し具を、コ字形とし、その上片と下片の内面に、押圧部に形成した係合部に係止可能な凹部又は凸部を設けた請求項１に記載の管継手。
【発明の詳細な説明】
【０００１】
【発明の属する技術分野】
本発明は、押輪を受口部の中心に容易に整合させることができるようにした管継手に関する。
【０００２】
【従来の技術】
例えば、水道管等を配管する際において、管同士の接続には一方の管の受口部内に他方の管の挿口部を挿入し、それらの間に挾入した環状のパッキンを、挿口部に外嵌した押輪により締め付けるようにした管継手が用いられる。
【０００３】
このような押輪を有する管継手においては、押輪を受口部に締結する際、それら同士の中心を互いに同軸上に整合させる必要がある。
【０００４】
すなわち、押輪は通常、若干の遊び間隙を設けて挿口部に外嵌されるため、管の接続時は押輪の自重により管頂に懸垂状態となっており、受口部に対して心ずれを起こしている。
【０００５】
この状態のまま、押輪を受口部に締結すると、管頂付近の取付ボルト・ナットと管底付近の取付ボルト・ナットによるパッキンの締付力が不均一となり、地震等により管が伸縮したりした際に、漏水事故を引き起こしたり、管底側よりパッキンが飛出す恐れがある。
【０００６】
この問題を解決するものとして、例えば実開昭５６−９８３号公報に開示されている管継手がある。
【０００７】
この従来の管継手は、図７に示すように、一方の管の受口部ａと他方の管の挿口部ｂに外嵌された押輪ｃとの互いの中心を、パッキンｄと押輪ｃとの間における挿口部ｂの管頂に載置した楔板ｅにより整合させるようにしてある。
【０００８】
すなわち、図７（Ａ）に示すように、押輪ｃが挿口部ｂの管頂に懸垂された状態において、上面が押輪ｃ側に向って漸次薄肉の傾斜面となった楔板ｅを、挿口部ｂの管頂に載置したのち、取付ボルト・ナットｆにより押輪ｃを受口部ａに締め付けると、図７（Ｂ）に示すように、押輪ｃが楔板ｅにより案内されて上方に押上げられることにより、受口部ａと押輪ｃとが互いに同軸上に整合する。
【０００９】
【発明が解決しようとする課題】
上述した従来の管継手では、特に押輪ｃが大型で大重量であると、楔板ｅの上面に強く圧接して懸垂され、取付ボルト・ナットｆの締め付け時に押輪ｃが円滑に摺動しなくなることがある。
【００１０】
このようになると、楔板ｅによりパッキンｄが局部的に強く押圧されたり、各取付ボルト・ナットｆを均等な締付トルクで締め付けても、上下のパッキンｄが均一に押圧されなかったり、押輪ｃと楔板ｅの上向片との間に隙間が形成されたりすることがあり、シール性が損われる恐れがある。
【００１１】
また、楔板ｅの右端はピンによりパッキンｄに保持されているものの、左端側はフリー状態となっているため、管の接続作業時に楔板ｅがずれる恐れがある。
【００１２】
本発明は、上記問題点を解決するためになされたもので、パッキンを局部的に強く押圧したりすることなく、押輪を容易に受口部と同軸に整合させることにより、シール性が損われるのを防止しうるようにした管継手を提供することを目的としている。
【００１３】
【課題を解決するための手段】
上記目的を達成するために、本発明の管継手は、一方の管体の受口部内に、他方の管体の挿口部を遊挿し、受口部の内周面と挿口部の外周面との間の隙間に挾入したパッキンを、挿口部に外嵌した押輪を受口部に締結することにより強圧し、双方の管体同士を接続するようにした管継手において、
前記押輪のパッキン押圧部における管頂部近傍に、挿口部と押圧部との間に形成される最大隙間をほぼ二分する厚さに形成された下片と薄肉に形成された側片とからなり、該側片が前記下片の基端から前記押圧部の端面に沿わせる形状に設けられた心出し具を備え、前記下片は挿口部の外周面に当接する下面を有し、該下面が挿口部の外周面と同じ曲率の湾曲面に形成されているとともに、該下片が前記管頂部近傍に対向する押圧部に着脱可能として設けられることを特徴としている。
【００１４】
上記心出し具をコ字形として、押圧部に弾性的に圧接させて取付けるのが好ましい。
【００１５】
上記心出し具を、永久磁石又は永久磁石を埋設した非磁性材によりＬ字状に形成するのが好ましい。
【００１６】
上記心出し具を、コ字形とし、その上片と下片の内面に、押圧部に形成した係合部に係止可能な凹部又は凸部を設けるのが好ましい。
【００１８】
本発明によると、押輪の押圧部に心出し具を取付けるだけで、押輪を受口部と同軸とすることができる。また、押輪の締付時において、心出し具は押圧部と一体的に移動してパッキンを押圧するのでパッキン全体は均一に押圧される。
【００１９】
【発明の実施の形態】
以下、本発明の実施例を図面に基づいて説明する。図１ないし図３において、右方の管体１の開口端部に形成された受口部１ａ内には、左方の管体２の対向端部の挿口部２ａが余裕をもって挿入されている。
【００２０】
受口部１ａの開口端部内周面には、開口端側がテーパ状に拡径する環状溝３が形成され、この環状溝３の挿口部２ａの外周面との間の環状空間４には、ゴム等よりなるパッキン５が圧入されるようになっている。パッキン５は環状空間４とほぼ同形のリング状を呈している。
【００２１】
６は、右方を向く環状押圧部６ａとフランジ部６ｂとからなる押輪で、パッキン５の左方の挿口部２ａに若干の遊びを持たせて外嵌されている。
【００２２】
環状押圧部６ａの右端面は、パッキン５の左端面と対向しており、フランジ部６ｂと受口部１ａのフランジ部１ｂとを、複数のＴ頭ボルトとナット８により締め付けることにより、パッキン５は環状空間４内に押込まれる。
【００２３】
環状押圧部６ａにおける挿口部２ａの管頂部と対応する部分の右端部には、図２に示すようなコ字形の心出し具９が嵌着されている。心出し具９は、例えばステンレスや樹脂材等により、その側片９ａが薄肉をなすように形成され、かつ上片９ｂと下片９ｃとを、取付前の自由状態において若干内向きに変形させてある。また、下片９ｃの基端部の板厚ｔは挿口部２ａの外周面と環状押圧部６ａの内周面との間に形成される最大隙間をほぼ二分する厚さ、即ち、心出し具９を取付けた際に、環状押圧部６ａと挿口部２ａの管頂及び管底部とに、ほぼ均等な隙間が形成される厚さとしてある。下片９ｃの下面は、挿口部２ａの外周面と同じ曲率の湾曲面として、挿口部２ａに密着するようにしてある。
【００２４】
次に、管体１、２の接続要領について説明する。まず、挿口部２ａの開口端より、押輪６とパッキン５とを順に外嵌した状態で、挿口部２ａを受口部１ａ内に挿入する。
【００２５】
ついで、受口部１ａと押輪６の各フランジ部１ｂ、６ｂ同士にＴ頭ボルト７を挿通し、ナット８により仮止めする。
【００２６】
この状態での押輪６は、自重により挿口部２ａの管頂に懸垂状態となっており、受口部１ａに対して心ずれを起こしている。
【００２７】
ついで、図１に示すように、環状押圧部６ａにおける挿口部２ａの管頂と対応する部分に、心出し具９を押込んで嵌着する。この際、心出し具９は、その上片９ｂと下片９ｃとが押圧部６ａに弾性的に圧接するので、安定的に止着される。
【００２８】
心出し具９を環状押圧部６ａに取付けると、受口部１ａと押輪６とはほぼ同軸をなすので、この状態での各ナット８を均等に締め付けていく。すると、図３に示すように、パッキン５は、押圧部６ａ及び心出し具９により管軸方向に押圧されて、環状空間４内に押込まれ、管接続部の水密性が保持される。
【００２９】
以上説明したように、上記実施例においては、予め心出し具９により受口部１ａと押輪６とを同軸に整合させてから、ナット８を締結するようにしており、しかも心出し具９は、押圧部６ａと一体的に移動するため、従来の楔板のように、パッキン５が局部的に強く押圧されたりすることはない。
【００３０】
従って、各ナット８を均等な締付トルクで締め付ければ、パッキン５の全周が均一に押圧されるので、シール性が損われる恐れはない。
【００３１】
また、心出し具９は、押圧部６ａに安定的に嵌着されているので、管の接続作業中にずれたりすることもない。
【００３２】
図４ないし図６は、心出し具の他の実施例を示す。図４に示す心出し具１０は、逆向きＬ字状をなすプラスチック等の非磁性材１１の内部に永久磁石１２を埋設して構成され、環状押圧部６ａの右端面と下面に吸着させて取付けるようにしたものである。
【００３３】
このようにすると、心出し具１０の着脱が容易となる。なお、この例では、永久磁石１２のみで心出し具１０を形成してもよい。
【００３４】
図５に示す心出し具１３は、弾性変形可能なプラスチックよりなり、かつ上片１３ａと下片１３ｂとの内面に突起１３ｃを形成し、この突起１３ｃを、環状押圧部６ａの管頂と対応する部分に形成した凹部６ｂに嵌合させて係止するようにしてある。このようにすると、心出し具１３を安定的に取付けることが出来る。なお、上記と反対に、押圧部６ａ側の係合部を凸部とし、上片１３ａ及び下片１３ｂ側を凹部としてもよい。
【００３５】
図６に示す心出し具１４は、上記と同じプラスチックよりなり、かつ下片１４ａの連設基部に薄肉部１４ｂを形成し、その部分より撓み易くしたものである。
【００３６】
即ち、地震等の振動により両管体１、２が継手部において上下に撓むと、心出し具１４も管体２と一体的に撓むようになるため、管体２に心出し具１４よりの大きな荷重が局部的に作用することがなくなる。
【００３７】
なお、下片１４ａが薄肉部１４ｂより破断したとしても、何ら問題となることはない。
【００３８】
本発明は、押輪に爪と押しボルトよりなる離脱防止機構を有する管継手にも適用しうるのは勿論である。
【００３９】
【発明の効果】
（ａ）心出し具を、押輪におけるパッキンの押圧部に装着するのみで、押輪を容易に受口部と同軸に整合させることができ、しかも予め心出し具により同軸としたのち、押輪を受口部に締結するので、従来の楔板のようにパッキンを局部的に強く押圧することがなく、パッキンの押圧力は均一となり、シール性が向上するとともに、心出し具の下片が薄肉部を中心として管体と一体的に撓むことができるので、管体に心出し具よりの大きな荷重が局部的に作用するのが防止され、かつ下片の下面に形成された湾曲面が挿口部に密着するようになるので、心出し具が安定的に取付けられる。
【００４０】
（ｂ）請求項２ないし４の発明によると、心出し具が押圧部に安定的に保持され、管の接続作業中にずれたりすることがない。
【００４２】
【図面の簡単な説明】
【図１】本発明の一実施例における押輪締付前の状態を示す中央縦断側面図である。
【図２】心出し具の拡大斜視図である。
【図３】押輪締付終了後における中央縦断側面図である。
【図４】心出し具の第２の実施例とその取付状態を示す要部の拡大断面図である。
【図５】心出し具の第３の実施例とその取付状態を示す要部の拡大縦断面図である。
【図６】心出し具の第４の実施例とその取付状態を示す要部の拡大縦断面図である。
【図７】従来例における押輪締付前と後の状態を示す中央縦断側面図である。
【符号の説明】
１、２      管体
１ａ        受口部
１ｂ        フランジ部
２ａ        挿口部
３          環状溝
４          環状空間
５          パッキン
６          押輪
６ａ        押圧部
６ｂ        フランジ部
６ｂ        凹部
７          Ｔ頭ボルト
８          ナット
９、１０、１３、１４    心出し具
９ａ        側片
９ｂ        上片
９ｃ        下片
１１          非磁性材
１２          永久磁石
１３ａ        上片
１３ｂ        下片
１３ｃ        突起
１４ａ        下片
１４ｂ        薄肉部
【図１】
0003825859.tif 000002
【図２】
0003825859.tif 000003
【図３】
0003825859.tif 000004
【図４】
0003825859.tif 000005
【図５】
0003825859.tif 000006
【図６】
0003825859.tif 000007
【図７】
0003825859.tif 000008